(57)【要約】【課題】ねじ固定式のガイドフレームに比べて固定の工程減となり、固定の際に治具を必要としないガイドフレームを含むカードコネクタ装置、および電子機器を提供する。【解決手段】ガイドフレーム５０を回路基板５６に固定するためにガイドフレーム固定部５５とスルーホール５４を係合させたためねじが不要となり、ガイドフレーム５０変形防止のための治具が不要となるため、工程減となり、またコストも減少する。また、ねじがないため着脱性が向上し、製造リードタイム短縮、また修理対応が迅速に行われるようになる。【選択図】図２
2007234357.tif 000002
【特許請求の範囲】
【請求項１】
カード状装置を挿抜自在に案内する側面部を有したガイドフレームと、
前記ガイドフレームの側面部に設けられて前記ガイドフレームが装着される支持体を挟持するガイドフレーム固定部とを有することを特徴とするカードコネクタ装置。
【請求項２】
カード状装置を挿抜自在に案内する側面部を有したガイドフレームと、
前記ガイドフレームの側面部に設けられて前記ガイドフレームが装着される基板に設けられた取付孔部に挿入され、前記取付孔部において前記基板を挟持するガイドフレーム固定部とを有することを特徴とするカードコネクタ装置。
【請求項３】
カード状装置を挿抜自在に案内する側面部を有したガイドフレームと、
前記ガイドフレームの側面部に設けられたガイドフレーム固定部であって、
孔部を有した回路基板に対して取り付ける方向に備えられ、かつカード挿入方向に延設された第１の凸部と、
前記取り付ける方向および前記カード挿入方向に対し垂直方向に延設された第２の凸部と、
前記取り付け回路基板の厚みと同等の隙間を有して前記第１の凸部と前記第２の凸部とから形成される凹部とを有するガイドフレーム固定部とを備え、
前記凹部は、前記回路基板の孔部に前記ガイドフレーム固定部の前記第１の凸部を挿入し前記回路基板を挟持することで前記ガイドフレームを係止することを特徴とするカードコネクタ装置。
【請求項４】
前記ガイドフレームは、前記カード状装置の第１の端子が接続される第２の端子を有する端子接続部を覆う部分に係合孔部を有し、前記端子接続部に設けられる係合突起部と係合することによりカード挿入方向に対して固定される請求項１から３のいずれか１項に記載のカードコネクタ装置。
【請求項５】
前記カード状装置は、情報記憶媒体であることを特徴とする請求項１から３のいずれか１項に記載のカードコネクタ装置。
【請求項６】
前記カード状装置は、内蔵された半導体装置に電気的に接続するための接続端子を有するＩＣカードであることを特徴とする請求項１から３のいずれか１項に記載のカードコネクタ装置。
【請求項７】
カード状装置を挿抜自在に案内する側面部を有したガイドフレームと、前記ガイドフレームの側面部に設けられて前記ガイドフレームが装着される支持体を挟持するガイドフレーム固定部とを有するカードコネクタ部を備えたことを特徴とする電子機器。
【請求項８】
カード状装置を挿抜自在に案内する側面部を有したガイドフレームと、前記ガイドフレームの側面部に設けられて前記ガイドフレームが装着される基板に設けられた取付孔部に挿入され、前記取付孔部において前記基板を挟持するガイドフレーム固定部とを有するカードコネクタ部を備えたことを特徴とする電子機器。
【請求項９】
カード状装置を挿抜自在に案内する側面部を有したガイドフレームと、前記ガイドフレームの側面部に設けられたガイドフレーム固定部であって、孔部を有した回路基板に対して取り付ける方向に備えられ、かつカード挿入方向に延設された第１の凸部と、前記取り付ける方向および前記カード挿入方向に対し垂直方向に延設された第２の凸部と、取り付け回路基板の厚みと同等の隙間を有して前記第１の凸部と前記第２の凸部とから形成される凹部とを有するガイドフレーム固定部とを備え、前記凹部は、前記回路基板の孔部に前記ガイドフレーム固定部の前記第１の凸部を挿入し前記回路基板を挟持することで前記ガイドフレームを係止するカードコネクタ部を備えたことを特徴とする電子機器。
【請求項１０】
カード状装置を挿抜自在に案内する側面部を有したガイドフレームと、前記ガイドフレームの側面部に設けられたガイドフレーム固定部であって、孔部を有した回路基板に対して取り付ける方向に備えられ、かつカード挿入方向に延設された第１の凸部と、前記取り付ける方向および前記カード挿入方向に対し垂直方向に延設された第２の凸部と、取り付け回路基板の厚みと同等の隙間を有して前記第１の凸部と前記第２の凸部とから形成される凹部とを有するガイドフレーム固定部とを備え、前記凹部は、前記回路基板の孔部に前記ガイドフレーム固定部の前記第１の凸部を挿入し前記回路基板を挟持することで前記ガイドフレームを係止するカードコネクタ部を備えたことを特徴とする携帯型の電子機器。
【発明の詳細な説明】
【技術分野】
【０００１】
本発明は、ＰＣカード、およびメモリカード等を装着して装備される機器に取り付けられるカードコネクタ装置、および電子機器に関し、特に、ねじ固定式のガイドフレームに比べて固定の工程減となり、固定の際に治具を必要としないカードコネクタ装置、および電子機器に関する。
【背景技術】
【０００２】
従来、ＰＣカード等の端子部を複数のピンコンタクトを有するヘッドに導いて接続するために、ＳＵＳ製のガイドフレームが使用されている。ＳＵＳ製のガイドフレームはヘッドが搭載されたマザーボード等の回路基板上にねじを締め付けることにより固定されている。
【０００３】
しかし、従来のガイドフレームによると回路基板固定用のねじの本数が多いことからねじ締め作業に時間がかかり、組み立て工程数が多くなる等の問題があった。
【０００４】
上記した問題を解決する方法として、回路基板固定用の係止部材を使用してガイドフレームを固定するＰＣカード用コネクタ装置が知られている（例えば、特許文献１）。
【０００５】
このＰＣカード用コネクタ装置によると、ねじの代わりに板状の係止部材をＰＣカードの不正な挿入によって加わる外力の働く方向に平行に配置することで、十分な強度が得られるとともに、回路基板の固定に用いられるねじの本数を低減することができる。
【特許文献１】特開２００３−３１２８３号公報
【発明の開示】
【発明が解決しようとする課題】
【０００６】
しかし、従来のＰＣカード用コネクタ装置によると、係止部材に代替しているのは複数のねじのうちの一部であり、大幅な工程減とはならない。また、依然としてねじを使用して固定する場合はガイドフレームの変形を防ぐために治具が必要であり、さらにイジェクトボタンを有するガイドフレームに関してはイジェクトボタンの構造上治具が使用できない固定箇所が生じるという問題がある。
【０００７】
従って、本発明の目的は、ねじ固定式のガイドフレームに比べて固定の工程減となり、固定の際に治具を必要としないガイドフレームを含むカードコネクタ装置、および電子機器を提供することにある。
【課題を解決するための手段】
【０００８】
（１）本発明は上記目的を達成するため、カード状装置を挿抜自在に案内する側面部を有したガイドフレームと、前記ガイドフレームの側面部に設けられて前記ガイドフレームが装着される支持体を挟持するガイドフレーム固定部とを有することを特徴とするカードコネクタ装置を提供する。
【０００９】
このような構成によれば、ねじを使用せずガイドフレームを支持体に装着できるため、治具を必要とせず、またねじ装着の工程が省けるためカードコネクタ装置の製造リードタイム減となる。
【００１０】
（２）また、本発明は上記目的を達成するため、カード状装置を挿抜自在に案内する側面部を有したガイドフレームと、前記ガイドフレームの側面部に設けられて前記ガイドフレームが装着される基板に設けられた取付孔部に挿入され、前記取付孔部において前記基板を挟持するガイドフレーム固定部とを有することを特徴とするカードコネクタ装置を提供する。
【００１１】
このような構成によれば、（１）の効果に加え、取付基板に孔を開けることで所望の場所に装着可能となる。
【００１２】
（３）また、本発明は上記目的を達成するため、カード状装置を挿抜自在に案内する側面部を有したガイドフレームと、前記ガイドフレームの側面部に設けられたガイドフレーム固定部であって、孔部を有した回路基板に対して取り付ける方向に備えられ、かつカード挿入方向に延設された第１の凸部と、前記取り付ける方向および前記カード挿入方向に対し垂直方向に延設された第２の凸部と、前記取り付け回路基板の厚みと同等の隙間を有して前記第１の凸部と前記第２の凸部とから形成される凹部とを有するガイドフレーム固定部とを備え、前記凹部は、前記回路基板の孔部に前記ガイドフレーム固定部の前記第１の凸部を挿入し前記回路基板を挟持することで前記ガイドフレームを係止することを特徴とするカードコネクタ装置を提供する。
【００１３】
このような構成によれば、（２）の効果に加え、ガイドフレーム固定部と回路基板に設けられた孔のサイズおよび厚みをそれぞれ合わせて設計しているため確実に固定することができる。
【００１４】
（４）また、本発明は上記目的を達成するため、カード状装置を挿抜自在に案内する側面部を有したガイドフレームと、前記ガイドフレームの側面部に設けられて前記ガイドフレームが装着される支持体を挟持するガイドフレーム固定部とを有するカードコネクタ部を備えたことを特徴とする電子機器を提供する。
【００１５】
このような構成によれば、（１）の効果を有するカードコネクタ部を備えた電子機器が可能となるとともに、ガイドフレームが変形した場合等に交換作業を簡単に行うことができる。
【００１６】
（５）また、本発明は上記目的を達成するため、カード状装置を挿抜自在に案内する側面部を有したガイドフレームと、前記ガイドフレームの側面部に設けられて前記ガイドフレームが装着される基板に設けられた取付孔部に挿入され、前記取付孔部において前記基板を挟持するガイドフレーム固定部とを有するカードコネクタ部を備えたことを特徴とする電子機器を提供する。
【００１７】
このような構成によれば、（２）の効果を有するカードコネクタ部を備えた電子機器が可能となるとともに、ガイドフレームが変形した場合等に交換作業を簡単に行うことができる。
【００１８】
（６）また、本発明は上記目的を達成するため、カード状装置を挿抜自在に案内する側面部を有したガイドフレームと、前記ガイドフレームの側面部に設けられたガイドフレーム固定部であって、孔部を有した回路基板に対して取り付ける方向に備えられ、かつカード挿入方向に延設された第１の凸部と、前記取り付ける方向および前記カード挿入方向に対し垂直方向に延設された第２の凸部と、取り付け回路基板の厚みと同等の隙間を有して前記第１の凸部と前記第２の凸部とから形成される凹部とを有するガイドフレーム固定部とを備え、前記凹部は、前記回路基板の孔部に前記ガイドフレーム固定部の前記第１の凸部を挿入し前記回路基板を挟持することで前記ガイドフレームを係止するカードコネクタ部を備えたことを特徴とする携帯型の電子機器を提供する。
【００１９】
このような構成によれば、（３）の効果を有するカードコネクタ部を備えた電子機器が可能となるとともに、ガイドフレームが変形した場合等に交換作業を簡単に行うことができる。
【発明の効果】
【００２０】
本発明によれば、固定の際にねじや治具を必要とせず、従来に比べて取り付け工程減となるカードコネクタ装置、および電子機器が可能となる。
【発明を実施するための最良の形態】
【００２１】
以下に、本発明のカードコネクタ装置の実施の形態を図面を参考にして詳細に説明する。
【００２２】
〔第１の実施の形態〕
（電子機器の構成）
図１は、本発明の第１の実施の形態に係る電子機器としてのノート型パーソナルコンピュータの概略構成図である。
【００２３】
このノート型パーソナルコンピュータ１００は、上ケース１０と下ケース２０から構成され、ヒンジにより開閉自在に接続されている。上ケース１０は、文字や画像等を表示する画像表示部１を有する。下ケース２０は、ＣＰＵ（Ｃｅｎｔｒａｌ  Ｐｒｏｃｅｓｓｉｎｇ  Ｕｎｉｔ）やＨＤＤ（Ｈａｒｄ  Ｄｉｓｃ  Ｄｒｉｖｅ）等の電子部品より構成される本体機能部２と、文字やコマンドを入力するための文字入力部３と、ポインティングデバイスとしてのトラックパッド４Ａおよび決定スイッチ４Ｂと、ＰＣカードを差し込むことにより装備されるＰＣカードスロット５とを有する。
【００２４】
（カードコネクタ装置の構成）
図２は、本発明の第１の実施の形態に関するカードコネクタ装置の概略構成図である。
【００２５】
このカードコネクタ装置５００は、図１に示すＰＣカードスロット５の内部に設置されており、ＰＣカードを案内する溝を両側部に有するガイドフレーム５０と、ガイドフレーム５０のカード挿入口５３に対して奥行き側（ｙ軸方向）に配置され、多数のピンコンタクトを有するヘッダ５１と、ガイドフレーム５０の外側に設けられてイジェクト機構を形成するイジェクトボタン５２と、本体機能部２の回路を搭載する回路基板５６と、ガイドフレーム５０をスライドすることにより回路基板５６に開穴されたスルーホール５４に固定するガイドフレーム固定部５５を有する。
【００２６】
（カードコネクタ装置の動作）
以下に、本発明の第１の実施の形態におけるカードコネクタ装置の動作を図面を参照しつつ説明する。
【００２７】
図３（ａ）は、本発明の第１の実施の形態に関するガイドフレーム固定部の斜視図である。図３（ｂ）〜（ｄ）は、ガイドフレーム固定部のＸ、Ｙ、Ｈ方向それぞれの展開図である。
【００２８】
ガイドフレーム固定部５５は、ＳＵＳプレートを折り曲げ加工して凸部５５Ａを形成している。凸部５５Ａと凸部５５Ｂに挟まれた箇所に凹部５５Ｃが形成され、凹部５５Ｃと同等の板を差し込むことにより凸部５５Ａと凸部５５Ｂがそれぞれ挟み込むことにより板を固定する。
【００２９】
図４（ａ）〜（ｃ）は、本発明の第１の実施の形態に関するガイドフレーム固定部の装着動作図である。
【００３０】
図４（ａ）に示すように、回路基板５６に開穴されたスルーホール５４は少なくともガイドフレーム固定部５５の底辺の長さを有しており、図４（ｂ）に示すように、ガイドフレーム固定部５５がスルーホール５４に差し込まれる。次に、図４（ｃ）に示すように、ガイドフレーム固定部５５をｙ方向に移動させることにより、凹部５５Ｃに回路基板５６が挟み込まれ、凸部５５Ａと凸部５５Ｃとにより固定される。
【００３１】
（第１の実施の形態の効果）
上記した実施の形態によると、ガイドフレーム５０を回路基板５６に固定するためにガイドフレーム固定部５５とスルーホール５４を係合させたためねじが不要となり、ガイドフレーム５０変形防止のための治具が不要となるため、工程減となり、またコストも減少する。
【００３２】
また、ねじがないため着脱性が向上し、製造リードタイム短縮、また修理対応が迅速に行われるようになる。
【００３３】
〔第２の実施の形態〕
図５は、本発明の第２の実施の形態に関するカードコネクタ装置の斜視図である。なお、以下の説明において、第１の実施の形態と同一の構成および機能を有する部分については共通の符号を付している。
【００３４】
ガイドフレーム５０は、側部のヘッダ５１と重なる部分に図示しない係合片と係合溝を有し、ガイドフレーム５０をガイドフレーム固定部５５をスライドして取り付ける際に係合し、さらにガイドフレーム５０の穴５７Ａと係合突起５７が係合することにより固定される。
【００３５】
（第２の実施の形態の効果）
従来、ガイドフレーム５０は、側部のヘッダ５１と重なる部分に共に係合する爪を有することによりヘッダ５１に固定されていたが、本実施の形態のようにカード挿入方向（ｙ軸方向）と平行にガイドフレーム固定部５５が取付方向を有する場合は、回路基板５６の法線方向（Ｈ軸方向）に対する固定ではなくカード挿入方向（ｙ軸方向）に固定するほうが好ましく、係合突起５７を設けたことにより、カード挿入やカード排出等の動作に対するカードコネクタ装置５００の強度を向上させることができる。
【００３６】
また、ガイドフレーム５０交換作業の際に、ガイドフレーム５０の端部を（Ｈ軸方向に）持ち上げることにより係合突起５７の係合を解除することができるため、ねじを締める必要もなく作業効率が向上する。
【００３７】
〔第３の実施の形態〕
図６は、本発明の第３の実施の形態に関するカードコネクタ装置の斜視図である。
【００３８】
カードコネクタ装置５００は、回路基板５６ＡにＰＣ等のマザーボードに取り付け可能な接続端子５８を有する。
【００３９】
（第３の実施の形態の効果）
接続端子５８を有する回路基板５６Ａにガイドフレーム固定部５５を有するガイドフレーム５０を搭載したことにより、ガイドフレーム５０が変形、および破損した場合も簡単にガイドフレーム５０の交換が可能となり、ＰＣ等の部品としてのカードコネクタ装置５００の修理コストが削減される。
【００４０】
〔第４の実施の形態〕
図７（ａ）は、本発明の第４の実施の形態に関するＥＴＣ車載装置の斜視図である。図７（ｂ）は、カードコネクタ装置の斜視図である。
【００４１】
ＥＴＣ車載装置１０１は、ＥＴＣ情報を送受信するアンテナやＥＴＣカード情報とＥＴＣ情報を処理する情報処理部等を含む本体機能部２Ａと、情報処理部を操作する機能スイッチ４Ｃと、ＥＴＣカードを挿入するＥＴＣカードスロット５Ａを有する。
【００４２】
ＥＴＣ車載装置１０１内には、カードコネクタ装置５００が設置されており、カードコネクタ装置５００は、イジェクトボタンを有さず直接ＩＣカードを挿抜可能なガイドフレーム５０と、ガイドフレーム５０と一体成形されたガイドフレーム固定部５５と、ＩＣカード上の接続端子より情報を読み取る端子を備えたヘッダ５１と、情報処理部等の電子回路を有し、ガイドフレーム固定部５５用のスルーホール５４を有する回路基板５６とを有する。
【００４３】
（第４の実施の形態の効果）
イジェクトボタンのないガイドフレーム５０においてもガイドフレーム固定部５５を採用したことにより、ガイドフレーム５０が変形、および破損した場合も簡単にガイドフレーム５０の交換が可能となり、修理コストが削減される。
【図面の簡単な説明】
【００４４】
【図１】本発明の第１の実施の形態に係る電子機器としてのノート型パーソナルコンピュータの概略構成図である。
【図２】本発明の第１の実施の形態に関するカードコネクタ装置の概略構成図である。
【図３】（ａ）は、本発明の第１の実施の形態に関するガイドフレーム固定部の斜視図である。（ｂ）〜（ｄ）は、ガイドフレーム固定部のＸ、Ｙ、Ｈ方向それぞれの展開図である。
【図４】（ａ）〜（ｃ）は、本発明の第１の実施の形態に関するガイドフレーム固定部の装着動作図である。
【図５】本発明の第２の実施の形態に関するカードコネクタ装置の斜視図である。
【図６】本発明の第３の実施の形態に関するカードコネクタ装置の斜視図である。
【図７】（ａ）は、本発明の第４の実施の形態に関するＥＴＣ車載装置の斜視図である。（ｂ）は、カードコネクタ装置の斜視図である。
【符号の説明】
【００４５】
１…画像表示部、２…本体機能部、２Ａ…本体機能部、３…文字入力部、４Ａ…トラックパッド、４Ｃ…機能スイッチ、４Ｂ…決定スイッチ、５…カードスロット、５Ａ…カードスロット、１０…上ケース、２０…下ケース、５０…ガイドフレーム、５１…ヘッダ、５２…イジェクトボタン、５３…カード挿入口、５４…スルーホール、５５…ガイドフレーム固定部、５５Ａ…凸部、５５Ｂ…凹部、５５Ｃ…凸部、５６…回路基板、５６Ａ…回路基板、５７…係合突起、５７Ａ…穴、５８…接続端子、１００…ノート型パーソナルコンピュータ、１０１…車載装置、５００…カードコネクタ装置
【図１】
2007234357.tif 000003
【図２】
2007234357.tif 000004
【図３】
2007234357.tif 000005
【図４】
2007234357.tif 000006
【図５】
2007234357.tif 000007
【図６】
2007234357.tif 000008
【図７】
2007234357.tif 000009